(57)【要約】【課題】  テレビ画像の録画に関して利便性が向上された携帯情報端末装置を提供することを目的とする。【解決手段】  操作筐体５に対して表示筐体２を回転させることにより、図５（ａ）の縦長状態及び図５（ｂ）の横長状態に切替可能な携帯電話機１において、縦長状態のときには保持部３ｂに対向して操作不可能状態となり、横長状態のときには保持部３ｂに対向しない操作可能状態となる録画操作キー４３を設ける。図５（ｂ）に示した閉成状態かつ横長状態のときには、操作可能状態とされた録画操作キー４３を操作することにより、テレビ画像の録画に関する操作を行うことができる。これにより、閉成状態であっても録画に関する操作を行うことができるので、利便性が向上する。【選択図】  図５
2008199260.tif 000002
【特許請求の範囲】
【請求項１】
メイン表示部が形成された表示筐体と、操作部が形成された操作筐体とを備え、上記操作筐体に対して上記表示筐体が第１回転軸を中心に回転されることにより、上記メイン表示部及び上記操作部が対向する閉成状態と対向しない開成状態とに切替可能であり、第２回転軸を中心に回転されることにより、上記メイン表示部の表示画面に平行な面内で上記表示筐体を縦長状態及び横長状態に切替可能な携帯情報端末装置であって、
テレビ放送波を受信するテレビ放送受信手段と、
上記テレビ放送受信手段が受信するテレビ放送波から指定されたチャンネルのテレビ放送波を抽出するテレビチューナと、
抽出されたテレビ放送波に基づくテレビ画像を録画する録画手段と、
上記表示筐体における上記表示画面が形成されている内面とは反対側の外面に対向するカバー部と、
上記表示筐体の上記外面に形成され、上記横長状態のときに上記カバー部に対向しない操作可能状態となり、上記縦長状態のときに上記カバー部に対向して操作不可能状態となる録画操作キーと、
上記閉成状態かつ上記横長状態のときに、上記操作可能状態とされた上記録画操作キーの操作に基づいて上記録画手段を制御する録画制御手段とを備えたことを特徴とする携帯情報端末装置。
【請求項２】
上記表示筐体の上記外面に形成され、上記閉成状態かつ上記横長状態のときに、上記録画手段による録画に関する情報を表示するサブ表示部を備えたことを特徴とする請求項１に記載の携帯情報端末装置。
【請求項３】
上記操作部には、上記テレビチューナにより抽出されるテレビ放送波のチャンネルを指定するためのチャンネル指定キーが備えられ、
上記サブ表示部は、上記チャンネル指定キーの操作に基づいて、指定されたチャンネルの情報を表示することを特徴とする請求項２に記載の携帯情報端末装置。
【請求項４】
上記テレビチューナは、上記閉成状態かつ上記縦長状態のときに、上記横長状態への切替に基づいてテレビ放送波の抽出を開始し、
上記録画手段は、上記テレビチューナによるテレビ放送波の抽出開始後、上記録画操作キーの操作に基づいて録画を開始させることを特徴とする請求項１に記載の携帯情報端末装置。
【請求項５】
上記録画手段は、上記開成状態かつ上記横長状態で上記テレビチューナがテレビ放送波を抽出しているときに、上記閉成状態への切替に基づいて録画を開始し、
上記録画制御手段は、上記録画手段による録画の開始後、上記録画操作キーの操作に基づいて録画を停止させることを特徴とする請求項１に記載の携帯情報端末装置。
【請求項６】
上記開成状態かつ上記横長状態のときに、上記メイン表示部に縦方向を上下方向として表示を行うアプリケーションを起動するアプリケーション起動手段を備え、
上記テレビチューナは、上記開成状態かつ上記横長状態で、上記メイン表示部にテレビ画像を表示させるためのアプリケーション以外のアプリケーションが上記アプリケーション起動手段により起動されているときには、上記閉成状態へ切替に基づいてテレビ放送波の抽出を開始しないことを特徴とする請求項５に記載の携帯情報端末装置。
【発明の詳細な説明】
【技術分野】
【０００１】
本発明は、携帯情報端末装置に係り、さらに詳しくは、テレビ放送を視聴することができる携帯電話機などの携帯情報端末装置に関する。
【背景技術】
【０００２】
携帯情報端末装置の一例である携帯電話機の中には、放送基地局から発信されているテレビ放送波を受信するためのテレビアンテナを備え、受信したテレビ放送波に基づくテレビ画像を表示画面に表示するとともに、そのテレビ画像に対応するテレビ音声を出力することにより、テレビ放送を視聴することができるようになっているものがある。
【０００３】
この種の携帯電話機としては、長方形状の表示画面が形成された表示筐体と、操作部が形成された操作筐体とを備え、表示画面及び操作部が対向する閉成状態と対向しない開成状態とに切替可能な折り畳み式の携帯電話機が知られている。このような携帯電話機の中でも最近の携帯電話機には、操作筐体に対して表示筐体を回転させて縦長状態及び横長状態に切り替えることができるようになっているものがある。この種の携帯電話機では、表示筐体が縦長状態のときには、表示画面の長手方向を上下方向としてテレビ画像が表示され、横長状態のときには、表示画面の短手方向を上下方向としてテレビ画像が表示されるようになっている。
【０００４】
通常、放送基地局から発信されているテレビ放送波に基づくテレビ画像は、縦幅に比べて横幅が長い横長のアスペクト比を有しているため、横長状態のときには、縦長状態のときと比べて表示画面にテレビ画像をより大きく表示することができる。そのため、テレビ放送を視聴する場合には、表示筐体が横長状態とされるのが一般的である。
【０００５】
一方で、テレビ放送を視聴可能な携帯情報端末装置の中には、受信したテレビ放送波に基づくテレビ画像を録画することができるようになっているものがある（例えば、特許文献１）。この種の携帯情報端末装置には、テレビチューナが備えられており、ユーザが所望のチャンネルを指定することにより、指定したチャンネルのテレビ放送波をテレビチューナで抽出し、そのテレビ放送波に基づくテレビ画像及び対応するテレビ音声をメモリに格納することにより録画が行われるようになっている。
【特許文献１】特開２００３−３４８５１０号公報
【発明の開示】
【発明が解決しようとする課題】
【０００６】
しかしながら、テレビ画像を録画可能な従来の携帯情報端末装置では、開成状態で操作可能な操作部を操作することによりテレビチューナを起動させた後、操作部をさらに操作することによって録画が開始されるようになっている。そのため、閉成状態のときに録画を開始したい場合には、わざわざ開成状態としてから録画に関する操作を行う必要があり、手間がかかるという問題があった。また、録画に関する操作を行うために携帯情報端末装置が開成状態とされることにより、表示画面に対する表示が開始されるため、必要以上に電力を消費するという問題があった。
【０００７】
このような問題を解決するために、閉成状態で録画に関する操作を行うための録画操作キーを設けることも考えられるが、このような録画操作キーを設けた場合には、携帯情報端末装置を閉成状態で持ち歩いているときなどに、その録画操作キーを不意に誤操作してしまうおそれがある。
【０００８】
本発明は、上記の事情に鑑みてなされたものであり、テレビ画像の録画に関して利便性が向上された携帯情報端末装置を提供することを目的とする。また、本発明は、テレビ画像の録画に関して消費電力を低減することができる携帯情報端末装置を提供することを目的とする。また、本発明は、テレビ画像の録画に関して誤操作を防止できる携帯情報端末装置を提供することを目的とする。
【課題を解決するための手段】
【０００９】
第１の本発明による携帯情報端末装置は、メイン表示部が形成された表示筐体と、操作部が形成された操作筐体とを備え、上記操作筐体に対して上記表示筐体が第１回転軸を中心に回転されることにより、上記メイン表示部及び上記操作部が対向する閉成状態と対向しない開成状態とに切替可能であり、第２回転軸を中心に回転されることにより、上記メイン表示部の表示画面に平行な面内で上記表示筐体を縦長状態及び横長状態に切替可能な携帯情報端末装置であって、テレビ放送波を受信するテレビ放送受信手段と、上記テレビ放送受信手段が受信するテレビ放送波から指定されたチャンネルのテレビ放送波を抽出するテレビチューナと、抽出されたテレビ放送波に基づくテレビ画像を録画する録画手段と、上記表示筐体における上記表示画面が形成されている内面とは反対側の外面に対向するカバー部と、上記表示筐体の上記外面に形成され、上記横長状態のときに上記カバー部に対向しない操作可能状態となり、上記縦長状態のときに上記カバー部に対向して操作不可能状態となる録画操作キーと、上記閉成状態かつ上記横長状態のときに、上記操作可能状態とされた上記録画操作キーの操作に基づいて上記録画手段を制御する録画制御手段とを備えて構成される。
【００１０】
このような構成によれば、閉成状態かつ横長状態のときには、操作可能状態とされた録画操作キーを操作することにより、テレビ画像の録画に関する操作を行うことができる。これにより、閉成状態であっても録画に関する操作を行うことができるので、利便性が向上するとともに、メイン表示部による表示を行わずに録画に関する操作を行うことができるので、消費電力を低減することができる。
【００１１】
また、縦長状態のときには録画操作キーがカバー部に対向して操作不可能状態となるので、録画操作キーを不意に誤操作してしまうのを防止できる。例えば、当該携帯情報端末装置を持ち歩くときなどには、通常、よりコンパクトに携帯できるように閉成状態かつ縦長状態とされるが、そのような場合には、録画操作キーがカバー部に対向して操作不可能状態となるので、簡単な機械的構成により誤操作を効果的に防止できる。
【００１２】
第２の本発明による携帯情報端末装置は、上記構成に加えて、上記表示筐体の上記外面に形成され、上記閉成状態かつ上記横長状態のときに、上記録画手段による録画に関する情報を表示するサブ表示部を備えて構成される。
【００１３】
このような構成によれば、メイン表示部の表示を視認できない閉成状態であっても、表示筐体の外面に形成されたサブ表示部に、録画手段による録画に関する情報を表示することができる。これにより、サブ表示部の表示を見ながら録画に関する操作を行うことができるので、利便性が向上する。また、サブ表示部の消費電力がメイン表示部よりも低ければ、録画手段による録画に関する表示をメイン表示部で行う場合と比べて、消費電力を低減することができる。
【００１４】
第３の本発明による携帯情報端末装置は、上記構成に加えて、上記操作部には、上記テレビチューナにより抽出されるテレビ放送波のチャンネルを指定するためのチャンネル指定キーが備えられ、上記サブ表示部が、上記チャンネル指定キーの操作に基づいて、指定されたチャンネルの情報を表示するように構成される。
【００１５】
このような構成によれば、サブ表示部の表示を見ながらチャンネル指定キーを操作することにより、所望のチャンネルを指定して、そのチャンネルのテレビ放送波をテレビチューナで抽出することができる。これにより、メイン表示部の表示を視認できない閉成状態であっても、所望のテレビ画像を確実に録画することができるので、利便性がさらに向上する。
【００１６】
第４の本発明による携帯情報端末装置は、上記構成に加えて、上記テレビチューナが、上記閉成状態かつ上記縦長状態のときに、上記横長状態への切替に基づいてテレビ放送波の抽出を開始し、上記録画手段が、上記テレビチューナによるテレビ放送波の抽出開始後、上記録画操作キーの操作に基づいて録画を開始させるように構成される。
【００１７】
このような構成によれば、閉成状態のままであっても、表示筐体を縦長状態から横長状態へ切り替えることにより、テレビチューナによるテレビ放送波の抽出を開始させることができるとともに、横長状態へ切り替えることによって操作可能状態となった録画操作キーを操作することにより、録画を開始させることができる。したがって、わざわざ開成状態としてから録画に関する操作を行う場合と比べて利便性が向上するとともに、メイン表示部による表示を行わずに録画に関する操作を行うことができるので、消費電力を低減することができる。
【００１８】
第５の本発明による携帯情報端末装置は、上記構成に加えて、上記録画手段が、上記開成状態かつ上記横長状態で上記テレビチューナがテレビ放送波を抽出しているときに、上記閉成状態への切替に基づいて録画を開始し、上記録画制御手段が、上記録画手段による録画の開始後、上記録画操作キーの操作に基づいて録画を停止させるように構成される。
【００１９】
このような構成によれば、開成状態かつ横長状態でメイン表示部に表示されるテレビ画像を見ているときに、閉成状態へ切り替えられた場合であっても、自動的に録画を開始することができるとともに、その後に録画操作キーを操作すれば録画を停止させることができる。例えば、開成状態かつ横長状態でメイン表示部に表示されるテレビ画像を見ているときに、急に閉成状態としなければならない状況になった場合などには、閉成状態へ切り替えるだけで、その後のテレビ画像を自動的に録画することができるので、利便性が向上する。
【００２０】
第６の本発明による携帯情報端末装置は、上記構成に加えて、上記開成状態かつ上記横長状態のときに、上記メイン表示部に縦方向を上下方向として表示を行うアプリケーションを起動するアプリケーション起動手段を備え、上記テレビチューナが、上記開成状態かつ上記横長状態で、上記メイン表示部にテレビ画像を表示させるためのアプリケーション以外のアプリケーションが上記アプリケーション起動手段により起動されているときには、上記閉成状態へ切替に基づいてテレビ放送波の抽出を開始しないように構成される。
【００２１】
このような構成によれば、開成状態かつ横長状態で、メイン表示部にテレビ画像を表示させるためのアプリケーション以外のアプリケーションが起動されているときには、閉成状態へ切り替えられた場合であっても、テレビチューナによるテレビ放送波の抽出が開始されない。例えば、開成状態かつ横長状態でメイン表示部にテレビ画像以外の画像を表示させているときに、急に閉成状態としなければならない状況になった場合などであっても、閉成状態へ切り替えられることによってテレビチューナが無駄に起動されることがないので、消費電力を低減することができる。
【発明の効果】
【００２２】
本発明によれば、閉成状態かつ横長状態のときには、操作可能状態とされた録画操作キーを操作することにより、閉成状態であってもテレビ画像の録画に関する操作を行うことができるので、利便性が向上するとともに、メイン表示部による表示を行わずに録画に関する操作を行うことができるので、消費電力を低減することができる。また、縦長状態のときには録画操作キーがカバー部に対向して操作不可能状態となるので、録画操作キーを不意に誤操作してしまうのを防止できる。
【発明を実施するための最良の形態】
【００２３】
図１は、本発明の実施の形態による携帯情報端末装置の一例を示した斜視図であり、携帯情報端末装置の一例として閉成状態の携帯電話機１を示している。図２は、開成状態の携帯電話機１を示した斜視図である。この携帯電話機１は、いわゆる折り畳み式の携帯電話機であり、それぞれ長方形状に形成された表示筐体２及び操作筐体５がヒンジ部３を介して回動可能に連結されている。これにより、携帯電話機１は、図１に示すように表示筐体２及び操作筐体５が対向する閉成状態と、図２に示すように表示筐体２及び操作筐体５が対向しない開成状態とに切替可能となっている。
【００２４】
表示筐体２には、閉成状態で操作筐体５に対向する内面にメイン表示部２ａ及び受話用レシーバ８が配置されている。メイン表示部２ａは、その表示画面が長方形状に形成された液晶表示器からなり、その長手方向が表示筐体２の長手方向と一致するように配置されている。受話用レシーバ８は、表示筐体２におけるヒンジ部３と反対側の端部に配置されている。
【００２５】
操作筐体５には、閉成状態で表示筐体２に対向する内面に複数の主面キー４１及び送話用マイクロホン７が配置されるとともに、表示筐体２に対向しない端面に複数の端面キー４２が配置されている。送話用マイクロホン７は、操作筐体５におけるヒンジ部３と反対側の端部に配置されている。主面キー４１には、電話番号を入力する際などに操作されるテンキーの他、オンフックキーやオフフックキーなどが含まれる。一方、端面キー４２には、後述するテレビ放送波の受信に関する操作を行うためのキーが含まれる。
【００２６】
ヒンジ部３は、操作筐体５に対して回動可能に連結される連結部３ａと、表示筐体２の外面に対向して表示筐体２を保持する保持部３ｂとが一体的に形成された構成を有している。ヒンジ部３は、連結部３ａが操作筐体５に対して回動可能に取り付けられることにより、操作筐体５の短手方向に延びる第１回転軸Ａ１を中心に回動可能となっている。
【００２７】
表示筐体２は、保持部３ｂに対して、メイン表示部２ａの表示画面に垂直な第２回転軸Ａ２を中心に回転可能に連結されている。これにより、表示筐体２は、メイン表示部２ａの表示画面に平行な面内で回転可能に保持され、操作筐体５に対する傾斜角度を保った状態で、図１及び図２に示すような縦長状態と、当該縦長状態から９０°回転された横長状態とに切替可能となっている。
【００２８】
保持部３ｂは、矩形の板状に形成され、表示筐体２を縦長状態としたときに、表示筐体２の外面におけるヒンジ部３側に対向する。一方、表示筐体２の外面におけるヒンジ部３と反対側の端部、すなわち縦長状態で保持部３ｂに対向しない側の端部には、液晶表示器からなるサブ表示部１１が配置されている。このサブ表示部１１の表示画面は、メイン表示部２ａの表示画面よりも小さく形成されている。
【００２９】
図３及び図４は、図２の携帯電話機１の表示筐体２を回転させた状態を示した斜視図であり、図３は正面から見て図２の状態から時計回りに約４５°回転させた状態、図４は正面から見て図２の状態から時計回りに９０°回転させた状態を示している。
【００３０】
ユーザは、操作筐体５を把持した状態で、表示筐体２をメイン表示部２ａの表示画面に水平な面内において９０°の角度範囲内で回転させることにより、図２に示した縦長状態と図４に示した横長状態とに切り替えることができる。図２に示した縦長状態におけるメイン表示部２ａの表示画面には、その長手方向を上下方向として画像が表示される。一方、図４に示した横長状態におけるメイン表示部２ａの表示画面には、その短手方向を上下方向として画像が表示される。メイン表示部２ａの表示画面は、長辺と短辺の比が１６：９とされており、横長状態における表示画面の縦横比が、一般的なデジタルハイビジョン放送に用いられるアスペクト比と一致している。
【００３１】
図５は、閉成状態の携帯電話機１を示した平面図であり、（ａ）は表示筐体２が縦長状態の場合、（ｂ）は表示筐体２が横長状態の場合を示している。図５（ａ）に示すように、閉成状態かつ縦長状態のときには、操作筐体５の内面全体に表示筐体２が対向しているため、主面キー４１は操作することができない状態となっている。一方、閉成状態であっても、図５（ｂ）に示すように横長状態のときには、操作筐体５の一部が表示筐体２に対向せず露出しているため、その露出した部分に配置されている主面キー４１が操作可能となる。
【００３２】
端面キー４２は、操作筐体５の端面に形成されているため、閉成状態のときには、図５（ａ）に示した縦長状態及び図５（ｂ）に示した横長状態のいずれにおいても操作可能となっている。ただし、携帯時の誤操作防止のためには、閉成状態かつ縦長状態のときには端面キー４２の操作に対する処理が行われないようになっていることが好ましい。
【００３３】
図５（ｂ）に示すように、端面キー４２は、閉成状態かつ横長状態において、操作筐体５の内面における表示筐体２が対向しない部分に隣接する端面に形成されている。すなわち、閉成状態かつ横長状態では、端面キー４２の上方に表示筐体２が対向しないようになっている。このような構成により、閉成状態かつ横長状態で端面キー４２を操作する際に、表示筐体２が邪魔になるのを防止でき、端面キー４２を操作しやすくすることができる。
【００３４】
表示筐体２の外面における縦長状態で保持部３ｂに対向する側の端部には、テレビ放送波に基づく録画に関する操作を行うための録画操作キー４３が配置されている。この録画操作キー４３は、図５（ａ）に示した縦長状態のときには、保持部３ｂに対向して操作不可能状態となり、図５（ｂ）に示した横長状態のときには、保持部３ｂに対向しない操作可能状態となる。保持部３ｂは、表示筐体２の回転に伴って録画操作キー４３に対向する状態と対向しない状態とに切り替わるカバー部を構成している。
【００３５】
一方、サブ表示部１１は、表示筐体２の外面において、縦長状態で保持部３ｂに対向する側と反対側の端部に形成されている。これにより、図５（ａ）に示した縦長状態及び図５（ｂ）に示した横長状態のいずれにおいても、サブ表示部１１は保持部３ｂに対向しないようになっている。
【００３６】
図６は、この携帯電話機１の電気的構成の一例を示したブロック図である。この携帯電話機１は、上述したメイン表示部２ａ、サブ表示部１１、受話用レシーバ８、送話用マイクロホン７、主面キー４１、端面キー４２及び録画操作キー４３に加えて、スピーカ９、回転位置検知部２２、開閉検知部２３、セルラー通信部２４、テレビ放送受信部２５、テレビチューナ２６、録画データ記憶部２７及びアプリケーション記憶部２８を備えており、それらの動作が、プロセッサからなる制御部３０により制御されるようになっている。
【００３７】
メイン表示部２ａ及びサブ表示部１１には、それぞれバックライト装置２ｂ，１１ｂが備えられている。これらのバックライト装置２ｂ，１１ｂが、メイン表示部２ａ及びサブ表示部１１の各表示画面を裏側から照明することにより、各表示画面にバックライトを点灯させることができるようになっている。これらのバックライト装置２ｂ，１１ｂの消費電力の相違により、サブ表示部１１の方がメイン表示部２ａよりも消費電力が低く設定されている。スピーカ９は、受話用レシーバ８から出力される場合よりも音声を増幅して出力する音声出力手段である。
【００３８】
回転位置検知部２２及び開閉検知部２３は、例えば機械的又は電気的なスイッチにより構成されている。回転位置検知部２２は、ユーザによる表示筐体２の回転操作を検知することにより、表示筐体２の回転位置を検知する。一方、開閉検知部２３は、ユーザによる表示筐体２の開閉操作を検知することにより、表示筐体２が開成状態及び閉成状態のいずれであるかを検知する。
【００３９】
セルラー通信部２４は、通信用アンテナ２４ａを介して基地局との間で電波の送受信を行うことにより、通話音の送受信を行っている。相手方電話機との間で通話状態が確立された状態では、ユーザの通話音に基づく音声信号がセルラー通信部２４から送信され、相手方電話機からの通話音に基づく音声信号がセルラー通信部２４で受信されることにより、通話音が送受信される。
【００４０】
テレビ放送受信部２５は、テレビ放送受信用アンテナ２５ａを介して、テレビ局から発信されているテレビ放送波を受信するテレビ放送受信手段である。テレビ局から発信されているテレビ放送波には、アナログ放送に対応したアナログ放送波と、デジタル放送に対応したデジタル放送波とが含まれている。このテレビ放送受信部２５が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００４１】
テレビチューナ２６は、テレビ放送受信部２５により受信されるテレビ放送波から、指定されたチャンネルのテレビ放送波を抽出する。すなわち、ユーザが操作部４を操作してチャンネルを指定することにより、指定されたチャンネルのテレビ放送波がテレビチューナ２６により抽出される。そして、抽出されたテレビ放送波に基づいてメイン表示部２ａにテレビ画像が表示されるとともに、そのテレビ画像に対応するテレビ音声がスピーカ９から出力されることにより、テレビ放送を視聴することができる。
【００４２】
一般的に、３０〜３００ＭＨｚの周波数帯であるＶＨＦ(Very High Frequency)には、周波数に応じて「１」〜「１２」のチャンネルが割り当てられている。また、３００〜３０００ＭＨｚの周波数帯であるＵＨＦ(Ultra High Frequency)には、周波数に応じて「１３」〜「６２」のチャンネルが割り当てられている。これらのチャンネルのいずれかを指定して、そのチャンネルに割り当てられているテレビ放送波を抽出することにより、指定したチャンネルに対応するテレビ放送を視聴することができる。
【００４３】
ここで、主面キー４１、端面キー４２及び録画操作キー４３は、ユーザが入力操作を行うための操作部４を構成している。端面キー４２には、テレビチューナ２６により抽出されるテレビ放送波のチャンネルを指定するためのチャンネル指定キー４２Ａが含まれている。このチャンネル指定キー４２Ａの操作に対する処理は、図５（ａ）に示した閉成状態かつ縦長状態のときには行われず、図５（ｂ）に示した閉成状態かつ横長状態のときにのみ行われるようになっている。
【００４４】
本実施の形態では、テレビチューナ２６で抽出したテレビ放送波に基づくテレビ画像を録画データ記憶部２７に格納することにより、録画を行うことができるようになっている。このとき、テレビ画像に対応するテレビ音声も録画データ記憶部２７に格納することができる。録画データ記憶部２７に格納されたテレビ画像及びテレビ音声は、ユーザが操作部４を操作することにより読み出すことができ、読み出されたテレビ画像がメイン表示部２ａに表示されるとともに、読み出されたテレビ音声がスピーカ９から出力されることにより、録画されているテレビ放送を視聴することができる。
【００４５】
アプリケーション記憶部２８には、縦長状態のときにメイン表示部２ａに対する表示を行う複数の縦長アプリケーションと、横長状態のときにメイン表示部２ａに対する表示を行う複数の横長アプリケーションとが予め記憶されている。縦長アプリケーションが起動された場合には、縦長状態の表示筐体２のメイン表示部２ａに対して縦方向、すなわち表示画面の長手方向を上下方向として表示が行われる。一方、横長アプリケーションが起動された場合には、横長状態の表示筐体２のメイン表示部２ａに対して縦方向、すなわち表示画面の短手方向を上下方向として表示が行われる。
【００４６】
本実施の形態では、メイン表示部２ａにテレビ画像を表示させるためのアプリケーションが、縦長アプリケーション及び横長アプリケーションの双方に含まれている。すなわち、縦長状態のときにテレビチューナ２６が起動された場合には、縦長アプリケーションの中からメイン表示部２ａにテレビ画像を表示させるためのアプリケーションが起動され、メイン表示部２ａの長手方向を上下方向としてテレビ画像が表示される。一方、横長状態のときにテレビチューナ２６が起動された場合には、横長アプリケーションの中からメイン表示部２ａにテレビ画像を表示させるためのアプリケーションが起動され、メイン表示部２ａの短手方向を上下方向としてテレビ画像が表示される。
【００４７】
図７は、制御部３０の一構成例を示した機能ブロック図である。制御部３０は、アプリケーション起動部３１、チューナ制御部３２、録画制御部３３、メイン表示制御部３４、サブ表示制御部３５、音声制御部３６及び録画部３７によって構成され、これらの各機能ブロックは、制御部３０が実行するコンピュータプログラムにより実現される。
【００４８】
メイン表示制御部３４は、メイン表示部２ａに対する画像表示を制御し、サブ表示制御部３５は、サブ表示部１１に対する画像表示を制御する。メイン表示制御部３４による制御には、メイン表示部２ａのバックライト装置２ｂを起動又は停止する制御が含まれており、サブ表示制御部３５による制御には、サブ表示部１１のバックライト装置１１ｂを起動又は停止する制御が含まれている。これらのメイン表示制御部３４及びサブ表示制御部３５は、表示画面に対する表示を制御する表示制御手段を構成している。
【００４９】
音声制御部３６は、スピーカ９からの音声出力を制御する音声制御手段である。録画部３７は、テレビチューナ２６により抽出されたテレビ放送波に基づくテレビ画像を録画データ記憶部２７に格納することにより録画する録画手段である。録画部３７は、録画するテレビ画像に対応するテレビ音声も録画データ記憶部２７に格納するようになっている。
【００５０】
アプリケーション起動部３１は、アプリケーション記憶部２８に記憶されているアプリケーションを読み出して、そのアプリケーションに基づく処理を実行するアプリケーション起動手段である。このアプリケーション起動部３１は、回転位置検知部２２及び開閉検知部２３からの検知信号に基づいて、アプリケーション記憶部２８に記憶されているアプリケーションを起動し、そのアプリケーションに基づいてメイン表示制御部３４がメイン表示部２ａに対する表示を制御する。
【００５１】
より具体的には、開成状態かつ縦長状態のときには、ユーザ操作に基づいてアプリケーション起動部３１が縦長アプリケーションを起動し、その縦長アプリケーションに基づく画像がメイン表示制御部３４の制御によってメイン表示部２ａに表示される。一方、開成状態かつ横長状態のときには、ユーザ操作に基づいてアプリケーション起動部３１が横長アプリケーションを起動し、その横長アプリケーションに基づく画像がメイン表示制御部３４の制御によってメイン表示部２ａに表示される。なお、閉成状態のときには、縦長状態及び横長状態のいずれであっても、アプリケーション起動部３１により起動されたアプリケーションに基づくメイン表示制御部３４による制御は行われないようになっている。
【００５２】
チューナ制御部３２は、回転位置検知部２２及び開閉検知部２３からの検知信号や、チャンネル指定キー４２Ａの入力操作に基づいて、テレビチューナ２６の動作を制御する。すなわち、回転位置検知部２２及び開閉検知部２３からの検知信号に基づいてテレビチューナ２６を起動又は停止させたり、チャンネル指定キー４２Ａの入力操作に基づいてテレビチューナ２６により抽出するテレビ放送波のチャンネルを変更したりするなどの制御を行う。
【００５３】
録画制御部３３は、回転位置検知部２２及び開閉検知部２３からの検知信号や、録画操作キー４３の入力操作に基づいて、録画部３７による録画を開始又は停止させるための制御を行う録画制御手段である。
【００５４】
図８は、表示筐体２が閉成状態において縦長状態から横長状態へ切り替えられたときの制御部３０による処理の一例を示したフローチャートである。閉成状態かつ縦長状態でテレビチューナ２６が起動されていないときに、表示筐体２が閉成状態のまま横長状態へ切り替えられると、回転位置検知部２２及び開閉検知部２３からの検知信号に基づいてチューナ制御部３２がテレビチューナ２６を起動させる（ステップＳ１０１）。
【００５５】
これにより、テレビチューナ２６によるテレビ放送波の抽出が開始されるとともに、録画操作キー４３が図５（ａ）の操作不可能状態から図５（ｂ）の操作可能状態に切り替わる。このとき、サブ表示部１１には、抽出されているテレビ放送波のチャンネルなどの録画に関する情報が表示される。なお、テレビチューナ２６が起動されたときには、前回のテレビチューナ２６の停止時に抽出されていたチャンネルが自動的に指定され、そのチャンネルのテレビ放送波が抽出されるようになっている。
【００５６】
その後、操作可能状態となった録画操作キー４３が操作されれば（ステップＳ１０２でＹｅｓ）、録画部３７による録画が開始され（ステップＳ１０３）、テレビチューナ２６により抽出されているテレビ放送波に基づくテレビ画像及び対応するテレビ音声が録画データ記憶部２７に格納される。
【００５７】
一方、端面キー４２に含まれるチャンネル指定キー４２Ａが操作された場合には（ステップＳ１０４でＹｅｓ）、テレビチューナ２６により抽出されるテレビ放送波のチャンネルが、その操作に基づいて指定されたチャンネルに変更される（ステップＳ１０５）。このとき、指定されたチャンネルの情報がサブ表示部１１に表示されるようになっており、ユーザは、サブ表示部１１の表示を見ながらチャンネル指定キー４２Ａを操作することにより、所望のチャンネルを指定することができる。
【００５８】
録画部３７による録画が開始された後、再び録画操作キー４３が操作された場合や（ステップＳ１０６でＹｅｓ）、録画中に横長状態から縦長状態へ切り替えられた場合には（ステップＳ１０９でＹｅｓ）、テレビチューナ２６が停止されるとともに（ステップＳ１０７）、録画部３７による録画が停止される（ステップＳ１０８）。ただし、このような構成に限らず、録画中に横長状態から縦長状態へ切り替えられた場合、テレビチューナ２６が停止されずに、そのまま録画部３７による録画が継続されるような構成であってもよい。
【００５９】
一方、録画中に閉成状態から開成状態へ切り替えられた場合には（ステップＳ１１０でＹｅｓ）、メイン表示制御部３４によりメイン表示部２ａのバックライト装置２ｂが起動され、メイン表示部２ａに対するテレビ画像の表示が開始されるとともに（ステップＳ１１１）、そのテレビ画像に対応するテレビ音声がスピーカ９から出力される（ステップＳ１１２）。このとき、アプリケーション起動部３１により横長アプリケーションの中からテレビ画像を表示させるためのアプリケーションが起動され、メイン表示部２ａの短手方向を上下方向としてテレビ画像が表示される。
【００６０】
図９は、表示筐体２が横長状態において開成状態から閉成状態へ切り替えられたときの制御部３０による処理の一例を示したフローチャートである。開成状態かつ横長状態でテレビチューナ２６が起動されているときに（ステップＳ２０１でＹｅｓ）、表示筐体２が横長状態のまま閉成状態へ切り替えられた場合には、回転位置検知部２２及び開閉検知部２３からの検知信号に基づいて録画部３７による録画が開始される（ステップＳ２０５）。
【００６１】
この場合、その後に録画操作キー４３が操作された場合や（図８のステップＳ１０６でＹｅｓ）、録画中に横長状態から縦長状態へ切り替えられた場合には（ステップＳ１０９でＹｅｓ）、テレビチューナ２６が停止されるとともに（ステップＳ１０７）、録画部３７による録画が停止される（ステップＳ１０８）。一方、録画中に閉成状態から開成状態へ切り替えられた場合には（ステップＳ１１０でＹｅｓ）、メイン表示制御部３４によりメイン表示部２ａのバックライト装置２ｂが起動され、メイン表示部２ａに対するテレビ画像の表示が開始されるとともに（ステップＳ１１１）、そのテレビ画像に対応するテレビ音声がスピーカ９から出力される（ステップＳ１１２）。
【００６２】
これに対して、開成状態かつ横長状態でテレビチューナ２６が起動されていないときに（ステップＳ２０１でＮｏ）、表示筐体２が横長状態のまま閉成状態へ切り替えられた場合には、そのときアプリケーション起動部３１により起動されているアプリケーションが横長アプリケーションであるか否かが判定される（ステップＳ２０２）。判定の結果、縦長アプリケーションが起動されている場合や、アプリケーションが起動されていない待受状態の場合などには（ステップＳ２０２でＮｏ）、チューナ制御部３２がテレビチューナ２６を起動させる（ステップＳ２０６）。
【００６３】
この場合は、その後に録画操作キー４３が操作されれば（図８のステップＳ１０２でＹｅｓ）、録画部３７による録画が開始され（ステップＳ１０３）、チャンネル指定キー４２Ａが操作された場合には（ステップＳ１０４でＹｅｓ）、テレビチューナ２６により抽出されるテレビ放送波のチャンネルが、その操作に基づいて指定されたチャンネルに変更される（ステップＳ１０５）。
【００６４】
一方、横長アプリケーションが起動されている場合（ステップＳ２０２でＹｅｓ）、すなわち、テレビ画像を表示させるためのアプリケーション以外の横長アプリケーションが起動されている場合には、チューナ制御部３２はテレビチューナ２６を起動させず、テレビ放送波の抽出は開始されない。この場合、その後に録画操作キー４３が操作されたときには（ステップＳ２０３でＹｅｓ）、録画を開始できない旨のエラーメッセージがサブ表示部１１に表示される（ステップＳ２０４）。
【００６５】
本実施の形態では、図５（ｂ）に示した閉成状態かつ横長状態のときには、操作可能状態とされた録画操作キー４３を操作することにより、テレビ画像の録画に関する操作を行うことができる。これにより、閉成状態であっても録画に関する操作を行うことができるので、利便性が向上する。また、メイン表示部２ａによる表示を行わずに、すなわちメイン表示部２ａのバックライト装置２ｂを起動させずに、録画に関する操作を行うことができるので、消費電力を低減することができる。
【００６６】
また、縦長状態のときには録画操作キー４３が保持部３ｂに対向して操作不可能状態となるので、録画操作キー４３を不意に誤操作してしまうのを防止できる。例えば、当該携帯電話機１を持ち歩くときなどには、通常、よりコンパクトに携帯できるように図５（ａ）に示すような閉成状態かつ縦長状態とされるが、そのような場合には、録画操作キー４３が保持部３ｂに対向して操作不可能状態となるので、簡単な機械的構成により誤操作を効果的に防止できる。
【００６７】
また、本実施の形態では、メイン表示部２ａの表示を視認できない閉成状態であっても、表示筐体２の外面に形成されたサブ表示部１１に、録画部３７による録画に関する情報を表示することができる。これにより、サブ表示部１１の表示を見ながら録画に関する操作を行うことができるので、利便性が向上する。また、サブ表示部１１の消費電力がメイン表示部２ａよりも低いので、録画に関する表示をメイン表示部２ａで行う場合と比べて、消費電力を低減することができる。
【００６８】
さらに、本実施の形態では、サブ表示部１１の表示を見ながらチャンネル指定キー４２Ａを操作することにより、所望のチャンネルを指定して、そのチャンネルのテレビ放送波をテレビチューナ２６で抽出することができる。これにより、メイン表示部２ａの表示を視認できない閉成状態であっても、所望のテレビ画像を確実に録画することができるので、利便性がさらに向上する。
【００６９】
また、本実施の形態では、閉成状態のままであっても、表示筐体２を縦長状態から横長状態へ切り替えることにより、テレビチューナ２６によるテレビ放送波の抽出が開始されるとともに（図８のステップＳ１０１）、横長状態へ切り替えることによって操作可能状態となった録画操作キー４３を操作することにより録画が開始される（ステップＳ１０３）。したがって、わざわざ開成状態としてから録画に関する操作を行う場合と比べて利便性が向上するとともに、メイン表示部２ａによる表示を行わずに録画に関する操作を行うことができるので、消費電力を低減することができる。
【００７０】
さらに、本実施の形態では、開成状態かつ横長状態でメイン表示部２ａに表示されるテレビ画像を見ているときに、閉成状態へ切り替えられた場合であっても、自動的に録画を開始することができるとともに（図９のステップＳ２０５）、その後に録画操作キー４３を操作すれば録画を停止させることができる。例えば、開成状態かつ横長状態でメイン表示部２ａに表示されるテレビ画像を見ているときに、急に閉成状態としなければならない状況になった場合などには、閉成状態へ切り替えるだけで、その後のテレビ画像を自動的に録画することができるので、利便性が向上する。
【００７１】
また、本実施の形態では、開成状態かつ横長状態で、メイン表示部２ａにテレビ画像を表示させるためのアプリケーション以外の横長アプリケーションが起動されているときには（図９のステップＳ２０２でＹｅｓ）、閉成状態へ切り替えられた場合であっても、テレビチューナ２６によるテレビ放送波の抽出が開始されない。例えば、開成状態かつ横長状態でメイン表示部２ａにテレビ画像以外の画像を表示させているときに、急に閉成状態としなければならない状況になった場合などであっても、閉成状態へ切り替えられることによってテレビチューナ２６が無駄に起動されることがないので、消費電力を低減することができる。
【００７２】
以上の実施の形態では、表示筐体２に形成された録画操作キー４３が、縦長状態のときにヒンジ部３の保持部３ｂに対向することにより操作不可能状態となる場合について説明したが、このような構成に限らず、ヒンジ部３とは別個に設けられたカバー部に録画操作キー４３が対向して操作不可能状態となるような構成であってもよい。
【００７３】
また、サブ表示部１１は、表示筐体２が縦長状態及び横長状態のいずれであっても保持部３ｂに対向しないような構成に限らず、録画操作キー４３と同様に、縦長状態のときには保持部２ｂに対向し、横長状態のときには保持部２ｂに対向しないような構成であってもよい。
【００７４】
また、以上の実施の形態では、閉成状態かつ横長状態でテレビチューナ２６が起動されているときには、端面キー４２に含まれるチャンネル指定キー４２Ａを操作することにより、テレビチューナ２６により抽出するテレビ放送波のチャンネルを指定することができるような構成について説明した。しかし、このような構成に限らず、閉成状態かつ横長状態で露出する主面キー４１などの他のキーを用いて、チャンネルを指定することができるような構成であってもよい。
【００７５】
さらに、以上の実施の形態では、携帯情報端末装置の一例として携帯電話機１について説明したが、本発明は、携帯電話機１に限らず、携帯型のパーソナルコンピュータやＰＤＡ(Personal Digital Assistance)などの他の携帯情報端末装置にも適用可能である。
【図面の簡単な説明】
【００７６】
【図１】本発明の実施の形態による携帯情報端末装置の一例を示した斜視図であり、携帯情報端末装置の一例として閉成状態の携帯電話機を示している。
【図２】開成状態の携帯電話機を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】閉成状態の携帯電話機を示した平面図であり、（ａ）は表示筐体が縦長状態の場合、（ｂ）は表示筐体が横長状態の場合を示している。
【図６】この携帯電話機の電気的構成の一例を示したブロック図である。
【図７】制御部の一構成例を示した機能ブロック図である。
【図８】表示筐体が閉成状態において縦長状態から横長状態へ切り替えられたときの制御部による処理の一例を示したフローチャートである。
【図９】表示筐体が横長状態において開成状態から閉成状態へ切り替えられたときの制御部による処理の一例を示したフローチャートである。
【符号の説明】
【００７７】
１  携帯電話機
２  表示筐体
２ａ  メイン表示部
４  操作部
５  操作筐体
１１  サブ表示部
２２  回転位置検知部
２３  開閉検知部
２５  テレビ放送受信部
２６  テレビチューナ
２７  録画データ記憶部
２８  アプリケーション記憶部
３１  アプリケーション起動部
３２  チューナ制御部
３３  録画制御部
３４  メイン表示制御部
３５  サブ表示制御部
３６  音声制御部
３７  録画部
４２Ａ  チャンネル指定キー
４３  録画操作キー４３
【図１】
2008199260.tif 000003
【図２】
2008199260.tif 000004
【図３】
2008199260.tif 000005
【図４】
2008199260.tif 000006
【図５】
2008199260.tif 000007
【図６】
2008199260.tif 000008
【図７】
2008199260.tif 000009
【図８】
2008199260.tif 000010
【図９】
2008199260.tif 000011